(57)【要約】【課題】本発明は収納可能なＬＥＤスタンドを開示した。【解決手段】台座を含み、前記台座の上端面には灯柱が設置されており、前記灯柱の中の上端には灯枠が設置されており、前記灯枠の中にはスイッチ機構が設置されており、前記スイッチ機構は電気接続チャンバを含み、前記灯枠の一端の中にはＬＥＤランプが設置されており、前記電気接続チャンバの一側端壁の中には移動チャンバが設置されており、前記移動チャンバの中には移動ブロックが設置されており、前記移動チャンバの一側端壁の中には移動撥条が設置されており、前記移動ブロックの一側には移動ボードが設置されており、前記移動ボードの一側端面にはリングが設置されており、前記移動チャンバの下端壁の中には持上げチャンバが設置されている。【選択図】図１
2020145168.tif 000002
【特許請求の範囲】
【請求項１】
台座を含み、前記台座の上端面には灯柱が設置されており、前記灯柱の中の上端には灯枠が設置されており、前記灯枠の中にはスイッチ機構が設置されており、前記スイッチ機構は電気接続チャンバを含み、前記灯枠の一端の中にはＬＥＤランプが設置されており、前記電気接続チャンバの一側端壁の中には移動チャンバが設置されており、前記移動チャンバの中には移動ブロックが設置されており、前記移動チャンバの一側端壁の中には移動撥条が設置されており、前記移動ブロックの一側には移動ボードが設置されており、前記移動ボードの一側端面にはリングが設置されており、前記移動チャンバの下端壁の中には持上げチャンバが設置されており、前記持上げチャンバの中には持上げボードが設置されており、前記持上げボードの上端面には上端が前記移動チャンバの中に位置する台形ブロックが設置されており、前記持上げボードの下端面には持上げブロックが設置されており、前記持上げブロックの下端が外部空間に位置し、前記灯柱の中には保存機構が設置されており、前記保存機構の中には伝動機構が設置されている；
前記保存チャンバを使う時、前記回しブロックを上へ上げ、これにより前記封じボードを上へ運動連動させ、これにより前記保存チャンバを開けて保存に便利を与え、前記隠し空間を開ける時、継続して上へ前記回しブロックを上げ、前記伝動機構の伝動により、前駆隠し空間を前記保存チャンバの中に現れさせ、保存に便利を与え、前記スイッチ機構の存在によりＬＥＤランプの点滅を制御することを特徴とする収納可能なＬＥＤスタンド。
【請求項２】
前記スイッチ機構は電気接続チャンバを含み、前記電気接続チャンバの両側端壁には電気接続柱が対称的に固定的に設置されており、前記電気接続柱の中には上端壁と一側端壁とが前記電気接続チャンバに連通する電気接続溝が設置されており、前記電気接続チャンバの上端には伸縮撥条が固定的に接続されており、前記伸縮撥条の下端には電気接続ブロックが固定的に接続されており、一側の前記電気接続柱には一端が前記ＬＥＤランプと固定的に接続されるワイヤーが固定的に接続されており、前記電気接続ブロックの上端面にはロープが固定的に接続されており、前記移動ブロックの一端と前記移動撥条とが固定的に接続されており、前記移動ブロックのもう一端には移動棒が固定的に接続されており、前記移動棒の中には移動溝が設置されており、前記移動溝の中にはスライドボードがスライドできるように接続されており、前記移動溝の一側端壁の中にはスライド撥条が固定的に接続されており、前記スライドボードの一端が前記スライド撥条と固定的に接続されており、前記スライドボードのもう一端が前記スライド棒と固定的に接続されており、前記スライド棒の一端が前記移動チャンバの中に位置し、前記移動ボードの一端と、前記スライド棒のうち前記移動チャンバの中に位置する一端とが固定的に接続されており、前記電気接続ブロックの下端面にはチェーンが固定的に接続されており、前記チェーンの下端が前記移動チャンバの右端壁を貫通して前記リングを通り抜けて外部空間に位置し、前記持上げボードの下端面のもう一側には電磁棒が固定的に接続されている；
前記チェーンが下に運動して前記電気接続ブロックを連動させてぜき電気接続溝の中に入らせる同時に前記リングを連動させて右に運動させ、前記電気接続ブロックが下に運動し、前記ロープの伝動により前記移動ブロックを左に運動連動させ、前記チェーンがゆるくなると、前記スライド撥条の弾力が前記移動板の摩擦力と同じようになるまで前記スライド撥条の作用によって前記移動板が左に運動することを特徴とする請求項１に記載の収納可能なＬＥＤスタンド。
【請求項３】
前記保存機構は保存チャンバを含み、前記灯柱の中には保存チャンバが設置されており、前記保存チャンバの下端壁の中には上に開口する隠し空間が設置されており、前記隠し空間が前記保存チャンバに連通し、前記隠し空間の下端壁の中には昇降チャンバが設置されており、前記保存チャンバの上端壁の中には従動チャンバが設置されており、前記従動チャンバの下端壁の中には電磁溝が設置されており、前記従動チャンバの一側端壁の中には伝動チャンバが設置されており、前記伝動チャンバの下端壁が前記保存チャンバに連通し、前記電磁溝が前記伝動チャンバに連通し、前記伝動チャンバの中には伝動機構が設置されており、前記伝動チャンバの中には封じボードが設置されており、前記封じボードの下端が前記保存チャンバの中に位置し、前記伝動チャンバの一側端壁の中には撥条チャンバが設置されており、前記撥条チャンバの両側端壁の下部分が前記伝動チャンバと外部空間とを連通し、前記封じボードの下端の一側端面には回しブロックが固定的に接続されており、前記回しブロックの一端が外部空間の中に位置し、前記電磁溝の中には電磁ボードが設置されており、前記電磁ボードの一端が前記伝動チャンバの中に位置し、前記撥条チャンバの上端壁には圧縮撥条が固定的に接続されており、前記圧縮撥条の下端にはストッパが固定的に接続されており、前記従動チャンバの中には従動ボードが設置されており、前記従動ボードの一端が前記伝動チャンバの中に位置し且つ前記伝動ブロックと固定的に接続されており、前記電磁棒の下端が前記従動チャンバと前記従動ボードを貫通し且つ前記電磁溝の中に位置し、前記電磁棒が前記従動ボードとがスライドできるように接続されており、前記隠し空間の中には支持ボードがスライドできるように接続されており、前記支持ボードの上端面には支持棒が固定的に接続されており、前記支持棒の上端面には隠しボードが固定的に接続されており、前記昇降チャンバの中には昇降ボードがスライドできるように接続されており、前記昇降ボードの上端面の一側には昇降棒が固定的に接続されており、前記昇降棒の上端が前記昇降チャンバの上端壁と前記隠し空間の下端壁を貫通し且つ前記支持ボードと固定的に接続されており、前記昇降ボードの上端面のもう一側には支持柱が固定的に接続されており、前記支持柱の上端が前記昇降チャンバの上端壁を貫通し且つ前記従動ボードと固定的に接続されている；
前記回しブロックが上に運動して前記封じボードを連動させて上に運動させ、これにより前記保存チャンバを開け、前記回しブロックが継続して上に運動し、これにより前記伝動機構の伝動により前記隠しチャンバを現れさせることを特徴とする請求項１に記載の収納可能なＬＥＤスタンド。
【請求項４】
前記伝動機構は伝動ブロックを含み、前記伝動チャンバの中には伝動ブロックが設置されており、前記伝動ブロックの中には下に開口する伝動溝が設置されており、前記伝動溝の中には伝動ボードがスライドできるように接続されており、前記伝動溝の上端壁の中には上に開口する伝動穴が設置されており、前記伝動穴が前記伝動溝と前記伝動チャンバを連通し、前記伝動チャンバの一側端壁の中には収納溝が設置されており、前記収納溝が前記伝動チャンバに連通し、前記伝動溝の一側端壁の中には並進溝が設置されており、前記並進溝が前記伝動溝と前記伝動チャンバと連通し、前記並進溝の中には並進ブロックが設置されており、前記並進ブロックの一端が前記並進溝の端壁を貫通し且つ前記収納溝の中に位置し、前記並進溝の上端壁には下に開口する撥条溝が設置されており、前記撥条溝の中には撥条ボードが設置されており、前記撥条ボードの下端が前記並進溝の中に位置し且つ前記並進ブロックと固定的に接続されており、前記撥条溝の一側端壁には接続撥条が固定的に接続されており、前記撥条ボードの上端の一側端面と前記接続撥条とが固定的に接続されており、前記伝動ボードの上端面には伝動棒が固定的に接続されており、前記伝動棒の上端には接続棒が固定的に接続されており、前記接続棒の上端が前記伝動穴を貫通して前記伝動チャンバの中に位置し、前記接続棒の上端にはストップブロックが固定的に接続されており、前記伝動チャンバの上端壁には伝動撥条が固定的に接続されており、前記伝動撥条の下端と前記伝動ブロックとが固定的に接続されており、前記伝動穴の一側端壁の中には伸縮チャンバが設置されており、前記伸縮チャンバの一側端壁には細紐が固定的に接続されており、前記細紐の一端が前記伝動穴を貫通して前記撥条溝の中に位置し、前記撥条溝の中に位置する前記細紐の一端と前記撥条ボードとが固定的に接続されている；
前記封じボードが継続して上に運動し、前記伝動ボードを上に運動連動させ、前記伝動棒を上に運動連動させ、前記細紐を上に運動連動させ、前記並進ブロックを前記収納溝から離れ連動させることを特徴とする請求項１に記載の収納可能なＬＥＤスタンド。
【発明の詳細な説明】
【技術分野】
【０００１】
本発明はＬＥＤスタンド分野を取り上げて、具体的には収納可能なＬＥＤスタンドである。
【背景技術】
【０００２】
目前、人々の節電の意識が次第に高まり、ＬＥＤスタンドは次第に広く使われ、寝台灯にも用いられ、人々は普通小物をナイトテーブルに置く習慣があり、ナイトテーブルの表面が散乱するようになり、美観とは言えなく、なお人々がスタンドを使う時は一般に夜であり、人々が眠った時、スタンドを消すこと恐れがあり、電力資源を無駄にする。
【先行技術文献】
【特許文献】
【０００３】
【特許文献１】中国特許出願公開第１０７８１６６８３ 号明細書
【発明の概要】
【発明が解決しようとする課題】
【０００４】
本発明の目的は収納可能なＬＥＤスタンドを提供し、それは上記の現在の技術中の問題を解決できる。
【課題を解決するための手段】
【０００５】
本発明の収納可能なＬＥＤスタンドは、台座を含み、前記台座の上端面には灯柱が設置されており、前記灯柱の中の上端には灯枠が設置されており、前記灯枠の中にはスイッチ機構が設置されており、前記スイッチ機構は電気接続チャンバを含み、前記灯枠の一端の中にはＬＥＤランプが設置されており、前記電気接続チャンバの一側端壁の中には移動チャンバが設置されており、前記移動チャンバの中には移動ブロックが設置されており、前記移動チャンバの一側端壁の中には移動撥条が設置されており、前記移動ブロックの一側には移動ボードが設置されており、前記移動ボードの一側端面にはリングが設置されており、前記移動チャンバの下端壁の中には持上げチャンバが設置されており、前記持上げチャンバの中には持上げボードが設置されており、前記持上げボードの上端面には上端が前記移動チャンバの中に位置する台形ブロックが設置されており、前記持上げボードの下端面には持上げブロックが設置されており、前記持上げブロックの下端が外部空間に位置し、前記灯柱の中には保存機構が設置されており、前記保存機構の中には伝動機構が設置されている。
【０００６】
優選的には、前記スイッチ機構は電気接続チャンバを含み、前記電気接続チャンバの両側端壁には電気接続柱が対称的に固定的に設置されており、前記電気接続柱の中には上端壁と一側端壁とが前記電気接続チャンバに連通する電気接続溝が設置されており、前記電気接続チャンバの上端には伸縮撥条が固定的に接続されており、前記伸縮撥条の下端には電気接続ブロックが固定的に接続されており、一側の前記電気接続柱には一端が前記ＬＥＤランプと固定的に接続されるワイヤーが固定的に接続されており、前記電気接続ブロックの上端面にはロープが固定的に接続されており、前記移動ブロックの一端と前記移動撥条とが固定的に接続されており、前記移動ブロックのもう一端には移動棒が固定的に接続されており、前記移動棒の中には移動溝が設置されており、前記移動溝の中にはスライドボードがスライドできるように接続されており、前記移動溝の一側端壁の中にはスライド撥条が固定的に接続されており、前記スライドボードの一端が前記スライド撥条と固定的に接続されており、前記スライドボードのもう一端が前記スライド棒と固定的に接続されており、前記スライド棒の一端が前記移動チャンバの中に位置し、前記移動ボードの一端と、前記スライド棒のうち前記移動チャンバの中に位置する一端とが固定的に接続されており、前記電気接続ブロックの下端面にはチェーンが固定的に接続されており、前記チェーンの下端が前記移動チャンバの右端壁を貫通して前記リングを通り抜けて外部空間に位置し、前記持上げボードの下端面のもう一側には電磁棒が固定的に接続されている。
【０００７】
優選的には、前記保存機構は保存チャンバを含み、前記灯柱の中には保存チャンバが設置されており、前記保存チャンバの下端壁の中には上に開口する隠し空間が設置されており、前記隠し空間が前記保存チャンバに連通し、前記隠し空間の下端壁の中には昇降チャンバが設置されており、前記保存チャンバの上端壁の中には従動チャンバが設置されており、前記従動チャンバの下端壁の中には電磁溝が設置されており、前記従動チャンバの一側端壁の中には伝動チャンバが設置されており、前記伝動チャンバの下端壁が前記保存チャンバに連通し、前記電磁溝が前記伝動チャンバに連通し、前記伝動チャンバの中には伝動機構が設置されており、前記伝動チャンバの中には封じボードが設置されており、前記封じボードの下端が前記保存チャンバの中に位置し、前記伝動チャンバの一側端壁の中には撥条チャンバが設置されており、前記撥条チャンバの両側端壁の下部分が前記伝動チャンバと外部空間とを連通し、前記封じボードの下端の一側端面には回しブロックが固定的に接続されており、前記回しブロックの一端が外部空間の中に位置し、前記電磁溝の中には電磁ボードが設置されており、前記電磁ボードの一端が前記伝動チャンバの中に位置し、前記撥条チャンバの上端壁には圧縮撥条が固定的に接続されており、前記圧縮撥条の下端にはストッパが固定的に接続されており、前記従動チャンバの中には従動ボードが設置されており、前記従動ボードの一端が前記伝動チャンバの中に位置し且つ前記伝動ブロックと固定的に接続されており、前記電磁棒の下端が前記従動チャンバと前記従動ボードを貫通し且つ前記電磁溝の中に位置し、前記電磁棒が前記従動ボードとがスライドできるように接続されており、前記隠し空間の中には支持ボードがスライドできるように接続されており、前記支持ボードの上端面には支持棒が固定的に接続されており、前記支持棒の上端面には隠しボードが固定的に接続されており、前記昇降チャンバの中には昇降ボードがスライドできるように接続されており、前記昇降ボードの上端面の一側には昇降棒が固定的に接続されており、前記昇降棒の上端が前記昇降チャンバの上端壁と前記隠し空間の下端壁を貫通し且つ前記支持ボードと固定的に接続されており、前記昇降ボードの上端面のもう一側には支持柱が固定的に接続されており、前記支持柱の上端が前記昇降チャンバの上端壁を貫通し且つ前記従動ボードと固定的に接続されている。
【０００８】
優選的には、前記伝動機構は伝動ブロックを含み、前記伝動チャンバの中には伝動ブロックが設置されており、前記伝動ブロックの中には下に開口する伝動溝が設置されており、前記伝動溝の中には伝動ボードがスライドできるように接続されており、前記伝動溝の上端壁の中には上に開口する伝動穴が設置されており、前記伝動穴が前記伝動溝と前記伝動チャンバを連通し、前記伝動チャンバの一側端壁の中には収納溝が設置されており、前記収納溝が前記伝動チャンバに連通し、前記伝動溝の一側端壁の中には並進溝が設置されており、前記並進溝が前記伝動溝と前記伝動チャンバと連通し、前記並進溝の中には並進ブロックが設置されており、前記並進ブロックの一端が前記並進溝の端壁を貫通し且つ前記収納溝の中に位置し、前記並進溝の上端壁には下に開口する撥条溝が設置されており、前記撥条溝の中には撥条ボードが設置されており、前記撥条ボードの下端が前記並進溝の中に位置し且つ前記並進ブロックと固定的に接続されており、前記撥条溝の一側端壁には接続撥条が固定的に接続されており、前記撥条ボードの上端の一側端面と前記接続撥条とが固定的に接続されており、前記伝動ボードの上端面には伝動棒が固定的に接続されており、前記伝動棒の上端には接続棒が固定的に接続されており、前記接続棒の上端が前記伝動穴を貫通して前記伝動チャンバの中に位置し、前記接続棒の上端にはストップブロックが固定的に接続されており、前記伝動チャンバの上端壁には伝動撥条が固定的に接続されており、前記伝動撥条の下端と前記伝動ブロックとが固定的に接続されており、前記伝動穴の一側端壁の中には伸縮チャンバが設置されており、前記伸縮チャンバの一側端壁には細紐が固定的に接続されており、前記細紐の一端が前記伝動穴を貫通して前記撥条溝の中に位置し、前記撥条溝の中に位置する前記細紐の一端と前記撥条ボードとが固定的に接続されている。
【発明の効果】
【０００９】
以上により、本装置は結構が簡単で、操作が便利で、灯柱の中の空間を有効的に利用し、保存空間を増え、卓上に置かれる小物を便利に収納し、卓上の清潔を保証し、且つ隠し空間の存在は一定の重要な物件を保存するのが保証でき、且つ機械の伝動時間によってスタンドに対して時間を制御して消すのができ、それにより電力資源を無駄にせず、電気利用に影響しない。
【図面の簡単な説明】
【００１０】
【図１】図１は本発明の収納可能なＬＥＤスタンド全体断面の正面構成模式図であり；
【図２】図2は本発明の収納可能なLEDスタンドの伝動機構の部分断面の正面構成模式図であり；
【図３】図3は本発明の収納可能なLEDスタンドのスイッチ機構の部分断面の正面構成模式図である。
【発明を実施するための形態】
【００１１】
本説明書に公開されるいずれもの特徴、或いは公開されるいずれもの方法或いは過程中の順序は互いに排斥する特徴／或いは順序以外、いかなる方式によって組み合わせる。
【００１２】
図１−３を参考して、本発明は実施例を提供し：収納可能なＬＥＤスタンドは、台座１を含み、前記台座１の上端面には灯柱５が設置されており、前記灯柱５の中の上端には灯枠２８が設置されており、前記灯枠２８の中にはスイッチ機構２７が設置されており、前記スイッチ機構２７は電気接続チャンバ２５を含み、前記灯枠２８の一端の中にはＬＥＤランプ３０が設置されており、前記電気接続チャンバ２５の一側端壁の中には移動チャンバ１４が設置されており、前記移動チャンバ１４の中には移動ブロック１７が設置されており、前記移動チャンバ１４の一側端壁の中には移動撥条１３が設置されており、前記移動ブロック１７の一側には移動ボード１９が設置されており、前記移動ボード１９の一側端面にはリング２０が設置されており、前記移動チャンバ１４の下端壁の中には持上げチャンバ３３が設置されており、前記持上げチャンバ３３の中には持上げボード１５が設置されており、前記持上げボード１５の上端面には上端が前記移動チャンバ１４の中に位置する台形ブロック１６が設置されており、前記持上げボード１５の下端面には持上げブロック３２が設置されており、前記持上げブロック３２の下端が外部空間に位置し、前記灯柱５の中には保存機構４０が設置されており、前記保存機構４０の中には伝動機構３７が設置されている。
【００１３】
有益なように、前記スイッチ機構２７は電気接続チャンバ２５を含み、前記電気接続チャンバ２５の両側端壁には電気接続柱２６が対称的に固定的に設置されており、前記電気接続柱２６の中には上端壁と一側端壁とが前記電気接続チャンバ２５に連通する電気接続溝７０が設置されており、前記電気接続チャンバ２５の上端には伸縮撥条２３が固定的に接続されており、前記伸縮撥条２３の下端には電気接続ブロック２４が固定的に接続されており、一側の前記電気接続柱２６には一端が前記ＬＥＤランプ３０と固定的に接続されるワイヤー２９が固定的に接続されており、前記電気接続ブロック２４の上端面にはロープ２１が固定的に接続されており、前記移動ブロック１７の一端と前記移動撥条１３とが固定的に接続されており、前記移動ブロック１７のもう一端には移動棒１８が固定的に接続されており、前記移動棒１８の中には移動溝６２が設置されており、前記移動溝６２の中にはスライドボード６３がスライドできるように接続されており、前記移動溝６２の一側端壁の中にはスライド撥条３１が固定的に接続されており、前記スライドボード６３の一端が前記スライド撥条３１と固定的に接続されており、前記スライドボード６３のもう一端が前記スライド棒６４と固定的に接続されており、前記スライド棒６４の一端が前記移動チャンバ１４の中に位置し、前記移動ボード１９の一端と、前記スライド棒６４のうち前記移動チャンバ１４の中に位置する一端とが固定的に接続されており、前記電気接続ブロック２４の下端面にはチェーン２２が固定的に接続されており、前記チェーン２２の下端が前記移動チャンバ１４の右端壁を貫通して前記リング２０を通り抜けて外部空間に位置し、前記持上げボード１５の下端面のもう一側には電磁棒１２が固定的に接続されている。
【００１４】
有益なように、前記保存機構４０は保存チャンバ７を含み、前記灯柱５の中には保存チャンバ７が設置されており、前記保存チャンバ７の下端壁の中には上に開口する隠し空間４４が設置されており、前記隠し空間４４が前記保存チャンバ７に連通し、前記隠し空間４４の下端壁の中には昇降チャンバ４が設置されており、前記保存チャンバ７の上端壁の中には従動チャンバ１１が設置されており、前記従動チャンバ１１の下端壁の中には電磁溝４７が設置されており、前記従動チャンバ１７の一側端壁の中には伝動チャンバ８が設置されており、前記伝動チャンバ８の下端壁が前記保存チャンバ７に連通し、前記電磁溝４７が前記伝動チャンバ８に連通し、前記伝動チャンバ８の中には伝動機構３７が設置されており、前記伝動チャンバ８の中には封じボード６が設置されており、前記封じボード６の下端が前記保存チャンバ７の中に位置し、前記伝動チャンバ８の一側端壁の中には撥条チャンバ３５が設置されており、前記撥条チャンバ３５の両側端壁の下部分が前記伝動チャンバ８と外部空間とを連通し、前記封じボード６の下端の一側端面には回しブロック４１が固定的に接続されており、前記回しブロック４１の一端が外部空間の中に位置し、前記電磁溝４７の中には電磁ボード９が設置されており、前記電磁ボード９の一端が前記伝動チャンバ８の中に位置し、前記撥条チャンバ３５の上端壁には圧縮撥条３６が固定的に接続されており、前記圧縮撥条３６の下端にはストッパ３８が固定的に接続されており、前記従動チャンバ１１の中には従動ボード１０が設置されており、前記従動ボード１０の一端が前記伝動チャンバ８の中に位置し且つ前記伝動ブロック５３と固定的に接続されており、前記電磁棒１２の下端が前記従動チャンバ１１と前記従動ボード１０を貫通し且つ前記電磁溝４７の中に位置し、前記電磁棒１２が前記従動ボード１０とがスライドできるように接続されており、前記隠し空間４４の中には支持ボード４５がスライドできるように接続されており、前記支持ボード４５の上端面には支持棒４３が固定的に接続されており、前記支持棒４３の上端面には隠しボード４２が固定的に接続されており、前記昇降チャンバ４の中には昇降ボード２がスライドできるように接続されており、前記昇降ボードの上端面の一側には昇降棒４６が固定的に接続されており、前記昇降棒４６の上端が前記昇降チャンバ４の上端壁と前記隠し空間４４の下端壁を貫通し且つ前記支持ボード４５と固定的に接続されており、前記昇降ボード２の上端面のもう一側には支持柱３が固定的に接続されており、前記支持柱３の上端が前記昇降チャンバ４の上端壁を貫通し且つ前記従動ボード１０と固定的に接続されている。
【００１５】
有益なように、前記伝動機構３７は伝動ブロック５３を含み、前記伝動チャンバ８の中には伝動ブロック５３が設置されており、前記伝動ブロック５３の中には下に開口する伝動溝５４が設置されており、前記伝動溝５４の中には伝動ボード５５がスライドできるように接続されており、前記伝動溝５４の上端壁の中には上に開口する伝動穴６５が設置されており、前記伝動穴６５が前記伝動溝５４と前記伝動チャンバ８を連通し、前記伝動チャンバ８の一側端壁の中には収納溝５０が設置されており、前記収納溝５０が前記伝動チャンバ８に連通し、前記伝動溝５４の一側端壁の中には並進溝５２が設置されており、前記並進溝５２が前記伝動溝５４と前記伝動チャンバ８と連通し、前記並進溝５２の中には並進ブロック５１が設置されており、前記並進ブロック５１の一端が前記並進溝５２の端壁を貫通し且つ前記収納溝５０の中に位置し、前記並進溝５２の上端壁には下に開口する撥条溝４８が設置されており、前記撥条溝４８の中には撥条ボード４９が設置されており、前記撥条ボード４９の下端が前記並進溝５２の中に位置し且つ前記並進ブロック５１と固定的に接続されており、前記撥条溝４８の一側端壁には接続撥条５７が固定的に接続されており、前記撥条ボード４９の上端の一側端面と前記接続撥条５７とが固定的に接続されており、前記伝動ボード５５の上端面には伝動棒５６が固定的に接続されており、前記伝動棒５６の上端には接続棒６１が固定的に接続されており、前記接続棒６１の上端が前記伝動穴６５を貫通して前記伝動チャンバ８の中に位置し、前記接続棒６１の上端にはストップブロック６０が固定的に接続されており、前記伝動チャンバ８の上端壁には伝動撥条３４が固定的に接続されており、前記伝動撥条３４の下端と前記伝動ブロック５３とが固定的に接続されており、前記伝動穴６５の一側端壁の中には伸縮チャンバ５９が設置されており、前記伸縮チャンバ５９の一側端壁には細紐５８が固定的に接続されており、前記細紐５８の一端が前記伝動穴６５を貫通して前記撥条溝４８の中に位置し、前記撥条溝４８の中に位置する前記細紐５８の一端と前記撥条ボード４９とが固定的に接続されている。
【００１６】
以下、附図１−３及び上記に記載の本願発明の収納可能なＬＥＤスタンドの具体的な構造を参考して収納可能なＬＥＤスタンドの使い方を詳しく紹介する：まず初期状態の時、前記電磁棒１２と前記電磁ボード９は作業状態であり、両者が反発し合う状態であり、前記電磁ボード９と前記伝動ブロック５３とは吸引しあう状態である；
【００１７】
前記保存チャンバ７を使う時、前記回しブロック４１を上へ上げ、これにより前記封じボード６を上へ運動連動させ、これにより前記封じボード６の上端と前記伝動ボード５５とを接触させ、前記伝動ボード５５を上へ運動連動させ、前記伝動棒５６と、前記接続棒６１と前記ストップブロック６０を上へ運動連動させ、前記伝動空間６５の中に位置する前記細紐５８を上へ運動連動させ、前記撥条ボード４９を一側へ運動連動させ、前記接続撥条５７が圧縮され、前記並進ブロック５１の一端を前記収納溝５０から離れ連動させ、この過程中、前記保存チャンバ７が外部空間に連通し、前記伝動ボード５５が前記伝動溝５４の最上側に位置する時、前記保存チャンバ７が外部空間に完全的に連通し、前記隠し空間４４を開ける時、継続して上へ前記回しブロック４１を上げ、前記伝動ブロック５３を上へ運動連動させ、前記従動ボード１０を上へ運動連動させ、前記伝動撥条３４が圧縮され、前記従動ボード１０が上昇して前記支持柱３を上へ運動連動させ、前記持上げボード２を上へ運動連動させ、前記昇降棒４６を上へ運動連動させ、前記支持ボード４５と支持棒４３を上へ運動連動させ、前記隠しボード４２を上へ運動連動させ、前記伝動ブロック５３が前記伝動チャンバ８の最上側に位置する時、前記支持ボード４５が前記保存チャンバ７の中に位置する；
【００１８】
ＬＥＤランプをオンする時、前記チェーン２２を引っ張って下へ運動させ、前記リング２０を右へ運動連動させ、前記電気接続ブロック２４を下へ運動連動させ、前記電気接続ブロック２４を前記電気接続溝７０の中に入らせ、前記電気接続ブロック２４が前記電気接続柱２６と接触して通電し、ＬＥＤランプをオンし、前記電気接続ブロック２４が下へ運動し、前記ロープ２１の伝動によって前記移動ブロック１７を左へ運動連動させ、前記伸縮撥条２３と前記移動撥条１３が圧縮され、前記スライド撥条１３が上げられ、前記移動ブロック１７が前記台形ブロック１６  の左側に運動し、前記チェーン２２を放すとき、前記スライド撥条１３が復帰し、前記リング２０を左へ運動連動させ、外部空間に位置する前記チェーン２２の一端を上昇連動させて隠れ、光に影響しなく、定時にＬＥＤスタンドを消そうとする時、下へ前記昇降ブロック３２を引っ張り、それにより前記電磁棒１２が磁性を失い、前記昇降ボード１５を下へ運動連動させ、前記台形ブロック１６を前記移動チャンバ１４から離れ連動させ、これにより前記移動ブロック１７が自身の摩擦力と、前記移動ボード１９と前記移動チャンバ１４の間の抵抗力と、前記スライド撥条１３の弾力と、前記移動撥条１３の弾力と前記伸縮撥条２３の弾力によって緩めにおもむろに右へ運動し、これにより前記スライド撥条３１を先に圧縮した後、前記移動ブロック１７によって前記移動ボード１９を右へ運動連動させ、前記リング２０を右へ運動連動させ、前記電気接続ブロック２４を少しずつ前記電気接続溝７０から離れさせ、前記電気接続ブロック２４が前記電気接続溝７０から完全に離れた後、前記ＬＥＤランプが消され、それにより定時にライトを消し、もし前記封じボード６が前記電磁ボード９を前記電磁溝４７の最上側に位置させれば、前記昇降ボード１５が前記昇降ブロック３２によって下降できなく、それにより、ランプを消す時、前記保存チャンバ７が開ける状態であることを保証する。
【００１９】
本発明の有益な効果は：本装置は結構が簡単で、操作が便利で、灯柱の中の空間を有効的に利用し、保存空間を増え、卓上に置かれる小物を便利に収納し、卓上の清潔を保証し、且つ隠し空間の存在は一定の重要な物件を保存するのが保証でき、且つ機械の伝動時間によってスタンドに対して時間を制御して消すのができ、それにより電力資源を無駄にせず、電気利用に影響しない。
【００２０】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。
【図１】
2020145168.tif 000003
【図２】
2020145168.tif 000004
【図３】
2020145168.tif 000005
【手続補正書】
【提出日】令和1年5月20日(2019.5.20)
【手続補正１】
【補正対象書類名】特許請求の範囲
【補正対象項目名】全文
【補正方法】変更
【補正の内容】
【特許請求の範囲】
【請求項１】
台座を含み、前記台座の上端面には灯柱が設置されており、前記灯柱の中の上端には灯枠が設置されており、前記灯枠の中にはスイッチ機構が設置されており、前記スイッチ機構は電気接続チャンバを含み、前記灯枠の一端の中にはＬＥＤランプが設置されており、前記電気接続チャンバの一側端壁の中には移動チャンバが設置されており、前記移動チャンバの中には移動ブロックが設置されており、前記移動チャンバの一側端壁の中には移動撥条が設置されており、前記移動ブロックの一側には移動ボードが設置されており、前記移動ボードの一側端面にはリングが設置されており、前記移動チャンバの下端壁の中には持上げチャンバが設置されており、前記持上げチャンバの中には持上げボードが設置されており、前記持上げボードの上端面には上端が前記移動チャンバの中に位置する台形ブロックが設置されており、前記持上げボードの下端面には持上げブロックが設置されており、前記持上げブロックの下端が外部空間に位置し、前記灯柱の中には保存機構が設置されており、前記保存機構の中には伝動機構が設置されていることを特徴とする収納可能なＬＥＤスタンド。
【請求項２】
前記スイッチ機構は電気接続チャンバを含み、前記電気接続チャンバの両側端壁には電気接続柱が対称的に固定的に設置されており、前記電気接続柱の中には上端壁と一側端壁とが前記電気接続チャンバに連通する電気接続溝が設置されており、前記電気接続チャンバの上端には伸縮撥条が固定的に接続されており、前記伸縮撥条の下端には電気接続ブロックが固定的に接続されており、一側の前記電気接続柱には一端が前記ＬＥＤランプと固定的に接続されるワイヤーが固定的に接続されており、前記電気接続ブロックの上端面にはロープが固定的に接続されており、前記移動ブロックの一端と前記移動撥条とが固定的に接続されており、前記移動ブロックのもう一端には移動棒が固定的に接続されており、前記移動棒の中には移動溝が設置されており、前記移動溝の中にはスライドボードがスライドできるように接続されており、前記移動溝の一側端壁の中にはスライド撥条が固定的に接続されており、前記スライドボードの一端が前記スライド撥条と固定的に接続されており、前記スライドボードのもう一端がスライド棒と固定的に接続されており、前記スライド棒の一端が前記移動チャンバの中に位置し、前記移動ボードの一端と、前記スライド棒のうち前記移動チャンバの中に位置する一端とが固定的に接続されており、前記電気接続ブロックの下端面にはチェーンが固定的に接続されており、前記チェーンの下端が前記移動チャンバの右端壁を貫通して前記リングを通り抜けて外部空間に位置し、前記持上げボードの下端面のもう一側には電磁棒が固定的に接続されていることを特徴とする請求項１に記載の収納可能なＬＥＤスタンド。
【請求項３】
前記保存機構は保存チャンバを含み、前記灯柱の中には保存チャンバが設置されており、前記保存チャンバの下端壁の中には上に開口する隠し空間が設置されており、前記隠し空間が前記保存チャンバに連通し、前記隠し空間の下端壁の中には昇降チャンバが設置されており、前記保存チャンバの上端壁の中には従動チャンバが設置されており、前記従動チャンバの下端壁の中には電磁溝が設置されており、前記従動チャンバの一側端壁の中には伝動チャンバが設置されており、前記伝動チャンバの下端壁が前記保存チャンバに連通し、前記電磁溝が前記伝動チャンバに連通し、前記伝動チャンバの中には伝動機構が設置されており、前記伝動チャンバの中には封じボードが設置されており、前記封じボードの下端が前記保存チャンバの中に位置し、前記伝動チャンバの一側端壁の中には撥条チャンバが設置されており、前記撥条チャンバの両側端壁の下部分が前記伝動チャンバと外部空間とを連通し、前記封じボードの下端の一側端面には回しブロックが固定的に接続されており、前記回しブロックの一端が外部空間の中に位置し、前記電磁溝の中には電磁ボードが設置されており、前記電磁ボードの一端が前記伝動チャンバの中に位置し、前記撥条チャンバの上端壁には圧縮撥条が固定的に接続されており、前記圧縮撥条の下端にはストッパが固定的に接続されており、前記従動チャンバの中には従動ボードが設置されており、前記従動ボードの一端が前記伝動チャンバの中に位置し且つ前記伝動ブロックと固定的に接続されており、前記電磁棒の下端が前記従動チャンバと前記従動ボードを貫通し且つ前記電磁溝の中に位置し、前記電磁棒が前記従動ボードとがスライドできるように接続されており、前記隠し空間の中には支持ボードがスライドできるように接続されており、前記支持ボードの上端面には支持棒が固定的に接続されており、前記支持棒の上端面には隠しボードが固定的に接続されており、前記昇降チャンバの中には昇降ボードがスライドできるように接続されており、前記昇降ボードの上端面の一側には昇降棒が固定的に接続されており、前記昇降棒の上端が前記昇降チャンバの上端壁と前記隠し空間の下端壁を貫通し且つ前記支持ボードと固定的に接続されており、前記昇降ボードの上端面のもう一側には支持柱が固定的に接続されており、前記支持柱の上端が前記昇降チャンバの上端壁を貫通し且つ前記従動ボードと固定的に接続されていることを特徴とする請求項１に記載の収納可能なＬＥＤスタンド。
【請求項４】
前記伝動機構は伝動チャンバを含み、前記伝動チャンバの中には伝動ブロックが設置されており、前記伝動ブロックの中には下に開口する伝動溝が設置されており、前記伝動溝の中には伝動ボードがスライドできるように接続されており、前記伝動溝の上端壁の中には上に開口する伝動穴が設置されており、前記伝動穴が前記伝動溝と前記伝動チャンバを連通し、前記伝動チャンバの一側端壁の中には収納溝が設置されており、前記収納溝が前記伝動チャンバに連通し、前記伝動溝の一側端壁の中には並進溝が設置されており、前記並進溝が前記伝動溝と前記伝動チャンバと連通し、前記並進溝の中には並進ブロックが設置されており、前記並進ブロックの一端が前記並進溝の端壁を貫通し且つ前記収納溝の中に位置し、前記並進溝の上端壁には下に開口する撥条溝が設置されており、前記撥条溝の中には撥条ボードが設置されており、前記撥条ボードの下端が前記並進溝の中に位置し且つ前記並進ブロックと固定的に接続されており、前記撥条溝の一側端壁には接続撥条が固定的に接続されており、前記撥条ボードの上端の一側端面と前記接続撥条とが固定的に接続されており、前記伝動ボードの上端面には伝動棒が固定的に接続されており、前記伝動棒の上端には接続棒が固定的に接続されており、前記接続棒の上端が前記伝動穴を貫通して前記伝動チャンバの中に位置し、前記接続棒の上端にはストップブロックが固定的に接続されており、前記伝動チャンバの上端壁には伝動撥条が固定的に接続されており、前記伝動撥条の下端と前記伝動ブロックとが固定的に接続されており、前記伝動穴の一側端壁の中には伸縮チャンバが設置されており、前記伸縮チャンバの一側端壁には細紐が固定的に接続されており、前記細紐の一端が前記伝動穴を貫通して前記撥条溝の中に位置し、前記撥条溝の中に位置する前記細紐の一端と前記撥条ボードとが固定的に接続されている；前記封じボードが継続して上に運動し、前記伝動ボードを上に運動連動させ、前記伝動棒を上に運動連動させ、前記細紐を上に運動連動させ、前記並進ブロックを前記収納溝から離れ連動させることを特徴とする請求項１又は請求項３に記載の収納可能なＬＥＤスタンド。
【手続補正２】
【補正対象書類名】明細書
【補正対象項目名】全文
【補正方法】変更
【補正の内容】
【発明の詳細な説明】
【技術分野】
【０００１】
本発明はＬＥＤスタンド分野を取り上げて、具体的には収納可能なＬＥＤスタンドである。
【背景技術】
【０００２】
目前、人々の節電の意識が次第に高まり、ＬＥＤスタンドは次第に広く使われ、寝台灯にも用いられ、人々は普通小物をナイトテーブルに置く習慣があり、ナイトテーブルの表面が散乱するようになり、美観とは言えなく、なお人々がスタンドを使う時は一般に夜であり、人々が眠った時、スタンドを消すこと恐れがあり、電力資源を無駄にする。
【先行技術文献】
【特許文献】
【０００３】
【特許文献１】中国特許出願公開第１０７８１６６８３号明細書
【発明の概要】
【発明が解決しようとする課題】
【０００４】
本発明はカーフィルムの色落ちを防ぐ洗車装置を提供し、従来技術における上記欠点を解消することを目的とする。
【課題を解決するための手段】
【０００５】
本発明の収納可能なＬＥＤスタンドは、台座を含み、前記台座の上端面には灯柱が設置されており、前記灯柱の中の上端には灯枠が設置されており、前記灯枠の中にはスイッチ機構が設置されており、前記スイッチ機構は電気接続チャンバを含み、前記灯枠の一端の中にはＬＥＤランプが設置されており、前記電気接続チャンバの一側端壁の中には移動チャンバが設置されており、前記移動チャンバの中には移動ブロックが設置されており、前記移動チャンバの一側端壁の中には移動撥条が設置されており、前記移動ブロックの一側には移動ボードが設置されており、前記移動ボードの一側端面にはリングが設置されており、前記移動チャンバの下端壁の中には持上げチャンバが設置されており、前記持上げチャンバの中には持上げボードが設置されており、前記持上げボードの上端面には上端が前記移動チャンバの中に位置する台形ブロックが設置されており、前記持上げボードの下端面には持上げブロックが設置されており、前記持上げブロックの下端が外部空間に位置し、前記灯柱の中には保存機構が設置されており、前記保存機構の中には伝動機構が設置されている。
【０００６】
優選的には、前記スイッチ機構は電気接続チャンバを含み、前記電気接続チャンバの両側端壁には電気接続柱が対称的に固定的に設置されており、前記電気接続柱の中には上端壁と一側端壁とが前記電気接続チャンバに連通する電気接続溝が設置されており、前記電気接続チャンバの上端には伸縮撥条が固定的に接続されており、前記伸縮撥条の下端には電気接続ブロックが固定的に接続されており、一側の前記電気接続柱には一端が前記ＬＥＤランプと固定的に接続されるワイヤーが固定的に接続されており、前記電気接続ブロックの上端面にはロープが固定的に接続されており、前記移動ブロックの一端と前記移動撥条とが固定的に接続されており、前記移動ブロックのもう一端には移動棒が固定的に接続されており、前記移動棒の中には移動溝が設置されており、前記移動溝の中にはスライドボードがスライドできるように接続されており、前記移動溝の一側端壁の中にはスライド撥条が固定的に接続されており、前記スライドボードの一端が前記スライド撥条と固定的に接続されており、前記スライドボードのもう一端がスライド棒と固定的に接続されており、前記スライド棒の一端が前記移動チャンバの中に位置し、前記移動ボードの一端と、前記スライド棒のうち前記移動チャンバの中に位置する一端とが固定的に接続されており、前記電気接続ブロックの下端面にはチェーンが固定的に接続されており、前記チェーンの下端が前記移動チャンバの右端壁を貫通して前記リングを通り抜けて外部空間に位置し、前記持上げボードの下端面のもう一側には電磁棒が固定的に接続されている。
【０００７】
優選的には、前記保存機構は保存チャンバを含み、前記灯柱の中には保存チャンバが設置されており、前記保存チャンバの下端壁の中には上に開口する隠し空間が設置されており、前記隠し空間が前記保存チャンバに連通し、前記隠し空間の下端壁の中には昇降チャンバが設置されており、前記保存チャンバの上端壁の中には従動チャンバが設置されており、前記従動チャンバの下端壁の中には電磁溝が設置されており、前記従動チャンバの一側端壁の中には伝動チャンバが設置されており、前記伝動チャンバの下端壁が前記保存チャンバに連通し、前記電磁溝が前記伝動チャンバに連通し、前記伝動チャンバの中には伝動機構が設置されており、前記伝動チャンバの中には封じボードが設置されており、前記封じボードの下端が前記保存チャンバの中に位置し、前記伝動チャンバの一側端壁の中には撥条チャンバが設置されており、前記撥条チャンバの両側端壁の下部分が前記伝動チャンバと外部空間とを連通し、前記封じボードの下端の一側端面には回しブロックが固定的に接続されており、前記回しブロックの一端が外部空間の中に位置し、前記電磁溝の中には電磁ボードが設置されており、前記電磁ボードの一端が前記伝動チャンバの中に位置し、前記撥条チャンバの上端壁には圧縮撥条が固定的に接続されており、前記圧縮撥条の下端にはストッパが固定的に接続されており、前記従動チャンバの中には従動ボードが設置されており、前記従動ボードの一端が前記伝動チャンバの中に位置し且つ前記伝動ブロックと固定的に接続されており、前記電磁棒の下端が前記従動チャンバと前記従動ボードを貫通し且つ前記電磁溝の中に位置し、前記電磁棒が前記従動ボードとがスライドできるように接続されており、前記隠し空間の中には支持ボードがスライドできるように接続されており、前記支持ボードの上端面には支持棒が固定的に接続されており、前記支持棒の上端面には隠しボードが固定的に接続されており、前記昇降チャンバの中には昇降ボードがスライドできるように接続されており、前記昇降ボードの上端面の一側には昇降棒が固定的に接続されており、前記昇降棒の上端が前記昇降チャンバの上端壁と前記隠し空間の下端壁を貫通し且つ前記支持ボードと固定的に接続されており、前記昇降ボードの上端面のもう一側には支持柱が固定的に接続されており、前記支持柱の上端が前記昇降チャンバの上端壁を貫通し且つ前記従動ボードと固定的に接続されている。
【０００８】
優選的には、前記伝動機構は伝動ブロックを含み、前記伝動チャンバの中には伝動ブロックが設置されており、前記伝動ブロックの中には下に開口する伝動溝が設置されており、前記伝動溝の中には伝動ボードがスライドできるように接続されており、前記伝動溝の上端壁の中には上に開口する伝動穴が設置されており、前記伝動穴が前記伝動溝と前記伝動チャンバを連通し、前記伝動チャンバの一側端壁の中には収納溝が設置されており、前記収納溝が前記伝動チャンバに連通し、前記伝動溝の一側端壁の中には並進溝が設置されており、前記並進溝が前記伝動溝と前記伝動チャンバと連通し、前記並進溝の中には並進ブロックが設置されており、前記並進ブロックの一端が前記並進溝の端壁を貫通し且つ前記収納溝の中に位置し、前記並進溝の上端壁には下に開口する撥条溝が設置されており、前記撥条溝の中には撥条ボードが設置されており、前記撥条ボードの下端が前記並進溝の中に位置し且つ前記並進ブロックと固定的に接続されており、前記撥条溝の一側端壁には接続撥条が固定的に接続されており、前記撥条ボードの上端の一側端面と前記接続撥条とが固定的に接続されており、前記伝動ボードの上端面には伝動棒が固定的に接続されており、前記伝動棒の上端には接続棒が固定的に接続されており、前記接続棒の上端が前記伝動穴を貫通して前記伝動チャンバの中に位置し、前記接続棒の上端にはストップブロックが固定的に接続されており、前記伝動チャンバの上端壁には伝動撥条が固定的に接続されており、前記伝動撥条の下端と前記伝動ブロックとが固定的に接続されており、前記伝動穴の一側端壁の中には伸縮チャンバが設置されており、前記伸縮チャンバの一側端壁には細紐が固定的に接続されており、前記細紐の一端が前記伝動穴を貫通して前記撥条溝の中に位置し、前記撥条溝の中に位置する前記細紐の一端と前記撥条ボードとが固定的に接続されている。
【発明の効果】
【０００９】
以上により、本装置は結構が簡単で、操作が便利で、灯柱の中の空間を有効的に利用し、保存空間を増え、卓上に置かれる小物を便利に収納し、卓上の清潔を保証し、且つ隠し空間の存在は一定の重要な物件を保存するのが保証でき、且つ機械の伝動時間によってスタンドに対して時間を制御して消すのができ、それにより電力資源を無駄にせず、電気利用に影響しない。
【図面の簡単な説明】
【００１０】
【図１】図１は本発明の収納可能なＬＥＤスタンド全体断面の正面構成模式図であり；
【図２】図２は本発明の収納可能なＬＥＤスタンドの伝動機構の部分断面の正面構成模式  図であり；
【図３】図３は本発明の収納可能なＬＥＤスタンドのスイッチ機構の部分断面の正面構成  模式図である；
【発明を実施するための形態】
【００１１】
本説明書に公開されるいずれもの特徴、或いは公開されるいずれもの方法或いは過程中の順序は互いに排斥する特徴／或いは順序以外、いかなる方式によって組み合わせる。
【００１２】
図１〜３を参考して、本発明は実施例を提供し：収納可能なＬＥＤスタンドは、台座１を含み、前記台座１の上端面には灯柱５が設置されており、前記灯柱５の中の上端には灯枠２８が設置されており、前記灯枠２８の中にはスイッチ機構２７が設置されており、前記スイッチ機構２７は電気接続チャンバ２５を含み、前記灯枠２８の一端の中にはＬＥＤランプ３０が設置されており、前記電気接続チャンバ２５の一側端壁の中には移動チャンバ１４が設置されており、前記移動チャンバ１４の中には移動ブロック１７が設置されており、前記移動チャンバ１４の一側端壁の中には移動撥条１３が設置されており、前記移動ブロック１７の一側には移動ボード１９が設置されており、前記移動ボード１９の一側端面にはリング２０が設置されており、前記移動チャンバ１４の下端壁の中には持上げチャンバ３３が設置されており、前記持上げチャンバ３３の中には持上げボード１５が設置されており、前記持上げボード１５の上端面には上端が前記移動チャンバ１４の中に位置する台形ブロック１６が設置されており、前記持上げボード１５の下端面には持上げブロック３２が設置されており、前記持上げブロック３２の下端が外部空間に位置し、前記灯柱５の中には保存機構４０が設置されており、前記保存機構４０の中には伝動機構３７が設置されている。
【００１３】
有益なように、前記スイッチ機構２７は電気接続チャンバ２５を含み、前記電気接続チャンバ２５の両側端壁には電気接続柱２６が対称的に固定的に設置されており、前記電気接続柱２６の中には上端壁と一側端壁とが前記電気接続チャンバ２５に連通する電気接続溝７０が設置されており、前記電気接続チャンバ２５の上端には伸縮撥条２３が固定的に接続されており、前記伸縮撥条２３の下端には電気接続ブロック２４が固定的に接続されており、一側の前記電気接続柱２６には一端が前記ＬＥＤランプ３０と固定的に接続されるワイヤー２９が固定的に接続されており、前記電気接続ブロック２４の上端面にはロープ２１が固定的に接続されており、前記移動ブロック１７の一端と前記移動撥条１３とが固定的に接続されており、前記移動ブロック１７のもう一端には移動棒１８が固定的に接続されており、前記移動棒１８の中には移動溝６２が設置されており、前記移動溝６２の中にはスライドボード６３がスライドできるように接続されており、前記移動溝６２の一側端壁の中にはスライド撥条３１が固定的に接続されており、前記スライドボード６３の一端が前記スライド撥条３１と固定的に接続されており、前記スライドボード６３のもう一端がスライド棒６４と固定的に接続されており、前記スライド棒６４の一端が前記移動チャンバ１４の中に位置し、前記移動ボード１９の一端と、前記スライド棒６４のうち前記移動チャンバ１４の中に位置する一端とが固定的に接続されており、前記電気接続ブロック２４の下端面にはチェーン２２が固定的に接続されており、前記チェーン２２の下端が前記移動チャンバ１４の右端壁を貫通して前記リング２０を通り抜けて外部空間に位置し、前記持上げボード１５の下端面のもう一側には電磁棒１２が固定的に接続されている。
【００１４】
有益なように、前記保存機構４０は保存チャンバ７を含み、前記灯柱５の中には保存チャンバ７が設置されており、前記保存チャンバ７の下端壁の中には上に開口する隠し空間４４が設置されており、前記隠し空間４４が前記保存チャンバ７に連通し、前記隠し空間４４の下端壁の中には昇降チャンバ４が設置されており、前記保存チャンバ７の上端壁の中には従動チャンバ１１が設置されており、前記従動チャンバ１１の下端壁の中には電磁溝４７が設置されており、前記従動チャンバ１７の一側端壁の中には伝動チャンバ８が設置されており、前記伝動チャンバ８の下端壁が前記保存チャンバ７に連通し、前記電磁溝４７が前記伝動チャンバ８に連通し、前記伝動チャンバ８の中には伝動機構３７が設置されており、前記伝動チャンバ８の中には封じボード６が設置されており、前記封じボード６の下端が前記保存チャンバ７の中に位置し、前記伝動チャンバ８の一側端壁の中には撥条チャンバ３５が設置されており、前記撥条チャンバ３５の両側端壁の下部分が前記伝動チャンバ８と外部空間とを連通し、前記封じボード６の下端の一側端面には回しブロック４１が固定的に接続されており、前記回しブロック４１の一端が外部空間の中に位置し、前記電磁溝４７の中には電磁ボード９が設置されており、前記電磁ボード９の一端が前記伝動チャンバ８の中に位置し、前記撥条チャンバ３５の上端壁には圧縮撥条３６が固定的に接続されており、前記圧縮撥条３６の下端にはストッパ３８が固定的に接続されており、前記従動チャンバ１１の中には従動ボード１０が設置されており、前記従動ボード１０の一端が前記伝動チャンバ８の中に位置し且つ前記伝動ブロック５３と固定的に接続されており、前記電磁棒１２の下端が前記従動チャンバ１１と前記従動ボード１０を貫通し且つ前記電磁溝４７の中に位置し、前記電磁棒１２が前記従動ボード１０とがスライドできるように接続されており、前記隠し空間４４の中には支持ボード４５がスライドできるように接続されており、前記支持ボード４５の上端面には支持棒４３が固定的に接続されており、前記支持棒４３の上端面には隠しボード４２が固定的に接続されており、前記昇降チャンバ４の中には昇降ボード２がスライドできるように接続されており、前記昇降ボードの上端面の一側には昇降棒４６が固定的に接続されており、前記昇降棒４６の上端が前記昇降チャンバ４の上端壁と前記隠し空間４４の下端壁を貫通し且つ前記支持ボード４５と固定的に接続されており、前記昇降ボード２の上端面のもう一側には支持柱３が固定的に接続されており、前記支持柱３の上端が前記昇降チャンバ４の上端壁を貫通し且つ前記従動ボード１０と固定的に接続されている。
【００１５】
有益なように、前記伝動機構３７は伝動ブロック５３を含み、前記伝動チャンバ８の中には伝動ブロック５３が設置されており、前記伝動ブロック５３の中には下に開口する伝動溝５４が設置されており、前記伝動溝５４の中には伝動ボード５５がスライドできるように接続されており、前記伝動溝５４の上端壁の中には上に開口する伝動穴６５が設置されており、前記伝動穴６５が前記伝動溝５４と前記伝動チャンバ８を連通し、前記伝動チャンバ８の一側端壁の中には収納溝５０が設置されており、前記収納溝５０が前記伝動チャンバ８に連通し、前記伝動溝５４の一側端壁の中には並進溝５２が設置されており、前記並進溝５２が前記伝動溝５４と前記伝動チャンバ８と連通し、前記並進溝５２の中には並進ブロック５１が設置されており、前記並進ブロック５１の一端が前記並進溝５２の端壁を貫通し且つ前記収納溝５０の中に位置し、前記並進溝５２の上端壁には下に開口する撥条溝４８が設置されており、前記撥条溝４８の中には撥条ボード４９が設置されており、前記撥条ボード４９の下端が前記並進溝５２の中に位置し且つ前記並進ブロック５１と固定的に接続されており、前記撥条溝４８の一側端壁には接続撥条５７が固定的に接続されており、前記撥条ボード４９の上端の一側端面と前記接続撥条５７とが固定的に接続されており、前記伝動ボード５５の上端面には伝動棒５６が固定的に接続されており、前記伝動棒５６の上端には接続棒６１が固定的に接続されており、前記接続棒６１の上端が前記伝動穴６５を貫通して前記伝動チャンバ８の中に位置し、前記接続棒６１の上端にはストップブロック６０が固定的に接続されており、前記伝動チャンバ８の上端壁には伝動撥条３４が固定的に接続されており、前記伝動撥条３４の下端と前記伝動ブロック５３とが固定的に接続されており、前記伝動穴６５の一側端壁の中には伸縮チャンバ５９が設置されており、前記伸縮チャンバ５９の一側端壁には細紐５８が固定的に接続されており、前記細紐５８の一端が前記伝動穴６５を貫通して前記撥条溝４８の中に位置し、前記撥条溝４８の中に位置する前記細紐５８の一端と前記撥条ボード４９とが固定的に接続されている。
【００１６】
以下、附図１−３及び上記に記載の本願発明の収納可能なＬＥＤスタンドの具体的な構造を参考して収納可能なＬＥＤスタンドの使い方を詳しく紹介する：まず初期状態の時、前記電磁棒１２と前記電磁ボード９は作業状態であり、両者が反発し合う状態であり、前記電磁ボード９と前記伝動ブロック５３とは吸引しあう状態である。
【００１７】
前記保存チャンバ７を使う時、前記回しブロック４１を上へ上げ、これにより前記封じボード６を上へ運動連動させ、これにより前記封じボード６の上端と前記伝動ボード５５とを接触させ、前記伝動ボード５５を上へ運動連動させ、前記伝動棒５６と、前記接続棒６１と前記ストップブロック６０を上へ運動連動させ、前記伝動空間６５の中に位置する前記細紐５８を上へ運動連動させ、前記撥条ボード４９を一側へ運動連動させ、前記接続撥条５７が圧縮され、前記並進ブロック５１の一端を前記収納溝５０から離れ連動させ、この過程中、前記保存チャンバ７が外部空間に連通し、前記伝動ボード５５が前記伝動溝５４の最上側に位置する時、前記保存チャンバ７が外部空間に完全的に連通し、前記隠し空間４４を開ける時、継続して上へ前記回しブロック４１を上げ、前記伝動ブロック５３を上へ運動連動させ、前記従動ボード１０を上へ運動連動させ、前記伝動撥条３４が圧縮され、前記従動ボード１０が上昇して前記支持柱３を上へ運動連動させ、前記持上げボード２を上へ運動連動させ、前記昇降棒４６を上へ運動連動させ、前記支持ボード４５と支持棒４３を上へ運動連動させ、前記隠しボード４２を上へ運動連動させ、前記伝動ブロック５３が前記伝動チャンバ８の最上側に位置する時、前記支持ボード４５が前記保存チャンバ７の中に位置する。
【００１８】
ＬＥＤランプをオンする時、前記チェーン２２を引っ張って下へ運動させ、前記リング２０を右へ運動連動させ、前記電気接続ブロック２４を下へ運動連動させ、前記電気接続ブロック２４を前記電気接続溝７０の中に入らせ、前記電気接続ブロック２４が前記電気接続柱２６と接触して通電し、ＬＥＤランプをオンし、前記電気接続ブロック２４が下へ運動し、前記ロープ２１の伝動によって前記移動ブロック１７を左へ運動連動させ、前記伸縮撥条２３と前記移動撥条１３が圧縮され、前記スライド撥条１３が上げられ、前記移動ブロック１７が前記台形ブロック１６の左側に運動し、前記チェーン２２を放すとき、前記スライド撥条１３が復帰し、前記リング２０を左へ運動連動させ、外部空間に位置する前記チェーン２２の一端を上昇連動させて隠れ、光に影響しなく、定時にＬＥＤスタンドを消そうとする時、下へ前記昇降ブロック３２を引っ張り、それにより前記電磁棒１２が磁性を失い、前記昇降ボード１５を下へ運動連動させ、前記台形ブロック１６を前記移動チャンバ１４から離れ連動させ、これにより前記移動ブロック１７が自身の摩擦力と、前記移動ボード１９と前記移動チャンバ１４の間の抵抗力と、前記スライド撥条１３の弾力と、前記移動撥条１３の弾力と前記伸縮撥条２３の弾力によって緩めにおもむろに右へ運動し、これにより前記スライド撥条３１を先に圧縮した後、前記移動ブロック１７によって前記移動ボード１９を右へ運動連動させ、前記リング２０を右へ運動連動させ、前記電気接続ブロック２４を少しずつ前記電気接続溝７０から離れさせ、前記電気接続ブロック２４が前記電気接続溝７０から完全に離れた後、前記ＬＥＤランプが消され、それにより定時にライトを消し、もし前記封じボード６が前記電磁ボード９を前記電磁溝４７の最上側に位置させれば、前記昇降ボード１５が前記昇降ブロック３２によって下降できなく、それにより、ランプを消す時、前記保存チャンバ７が開ける状態であることを保証する。
【００１９】
本発明の有益な効果は：本装置は結構が簡単で、操作が便利で、灯柱の中の空間を有効的に利用し、保存空間を増え、卓上に置かれる小物を便利に収納し、卓上の清潔を保証し、且つ隠し空間の存在は一定の重要な物件を保存するのが保証でき、且つ機械の伝動時間によってスタンドに対して時間を制御して消すのができ、それにより電力資源を無駄にせず、電気利用に影響しない。
【００２０】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。
【手続補正書】
【提出日】令和1年6月4日(2019.6.4)
【手続補正１】
【補正対象書類名】明細書
【補正対象項目名】全文
【補正方法】変更
【補正の内容】
【発明の詳細な説明】
【技術分野】
【０００１】
本発明はＬＥＤスタンド分野を取り上げて、具体的には収納可能なＬＥＤスタンドである。
【背景技術】
【０００２】
目前、人々の節電の意識が次第に高まり、ＬＥＤスタンドは次第に広く使われ、寝台灯にも用いられ、人々は普通小物をナイトテーブルに置く習慣があり、ナイトテーブルの表面が散乱するようになり、美観とは言えなく、なお人々がスタンドを使う時は一般に夜であり、人々が眠った時、スタンドを消すこと恐れがあり、電力資源を無駄にする。
【先行技術文献】
【特許文献】
【０００３】
【特許文献１】中国特許出願公開第１０７８１６６８３号明細書
【発明の概要】
【発明が解決しようとする課題】
【０００４】
本発明の目的は収納可能なＬＥＤスタンドを提供し、それは上記の現在の技術中の問題を解決できる。
【課題を解決するための手段】
【０００５】
本発明の収納可能なＬＥＤスタンドは、台座を含み、前記台座の上端面には灯柱が設置されており、前記灯柱の中の上端には灯枠が設置されており、前記灯枠の中にはスイッチ機構が設置されており、前記スイッチ機構は電気接続チャンバを含み、前記灯枠の一端の中にはＬＥＤランプが設置されており、前記電気接続チャンバの一側端壁の中には移動チャンバが設置されており、前記移動チャンバの中には移動ブロックが設置されており、前記移動チャンバの一側端壁の中には移動撥条が設置されており、前記移動ブロックの一側には移動ボードが設置されており、前記移動ボードの一側端面にはリングが設置されており、前記移動チャンバの下端壁の中には持上げチャンバが設置されており、前記持上げチャンバの中には持上げボードが設置されており、前記持上げボードの上端面には上端が前記移動チャンバの中に位置する台形ブロックが設置されており、前記持上げボードの下端面には持上げブロックが設置されており、前記持上げブロックの下端が外部空間に位置し、前記灯柱の中には保存機構が設置されており、前記保存機構の中には伝動機構が設置されている。
【０００６】
優選的には、前記スイッチ機構は電気接続チャンバを含み、前記電気接続チャンバの両側端壁には電気接続柱が対称的に固定的に設置されており、前記電気接続柱の中には上端壁と一側端壁とが前記電気接続チャンバに連通する電気接続溝が設置されており、前記電気接続チャンバの上端には伸縮撥条が固定的に接続されており、前記伸縮撥条の下端には電気接続ブロックが固定的に接続されており、一側の前記電気接続柱には一端が前記ＬＥＤランプと固定的に接続されるワイヤーが固定的に接続されており、前記電気接続ブロックの上端面にはロープが固定的に接続されており、前記移動ブロックの一端と前記移動撥条とが固定的に接続されており、前記移動ブロックのもう一端には移動棒が固定的に接続されており、前記移動棒の中には移動溝が設置されており、前記移動溝の中にはスライドボードがスライドできるように接続されており、前記移動溝の一側端壁の中にはスライド撥条が固定的に接続されており、前記スライドボードの一端が前記スライド撥条と固定的に接続されており、前記スライドボードのもう一端がスライド棒と固定的に接続されており、前記スライド棒の一端が前記移動チャンバの中に位置し、前記移動ボードの一端と、前記スライド棒のうち前記移動チャンバの中に位置する一端とが固定的に接続されており、前記電気接続ブロックの下端面にはチェーンが固定的に接続されており、前記チェーンの下端が前記移動チャンバの右端壁を貫通して前記リングを通り抜けて外部空間に位置し、前記持上げボードの下端面のもう一側には電磁棒が固定的に接続されている。
【０００７】
優選的には、前記保存機構は保存チャンバを含み、前記灯柱の中には保存チャンバが設置されており、前記保存チャンバの下端壁の中には上に開口する隠し空間が設置されており、前記隠し空間が前記保存チャンバに連通し、前記隠し空間の下端壁の中には昇降チャンバが設置されており、前記保存チャンバの上端壁の中には従動チャンバが設置されており、前記従動チャンバの下端壁の中には電磁溝が設置されており、前記従動チャンバの一側端壁の中には伝動チャンバが設置されており、前記伝動チャンバの下端壁が前記保存チャンバに連通し、前記電磁溝が前記伝動チャンバに連通し、前記伝動チャンバの中には伝動機構が設置されており、前記伝動チャンバの中には封じボードが設置されており、前記封じボードの下端が前記保存チャンバの中に位置し、前記伝動チャンバの一側端壁の中には撥条チャンバが設置されており、前記撥条チャンバの両側端壁の下部分が前記伝動チャンバと外部空間とを連通し、前記封じボードの下端の一側端面には回しブロックが固定的に接続されており、前記回しブロックの一端が外部空間の中に位置し、前記電磁溝の中には電磁ボードが設置されており、前記電磁ボードの一端が前記伝動チャンバの中に位置し、前記撥条チャンバの上端壁には圧縮撥条が固定的に接続されており、前記圧縮撥条の下端にはストッパが固定的に接続されており、前記従動チャンバの中には従動ボードが設置されており、前記従動ボードの一端が前記伝動チャンバの中に位置し且つ前記伝動ブロックと固定的に接続されており、前記電磁棒の下端が前記従動チャンバと前記従動ボードを貫通し且つ前記電磁溝の中に位置し、前記電磁棒が前記従動ボードとがスライドできるように接続されており、前記隠し空間の中には支持ボードがスライドできるように接続されており、前記支持ボードの上端面には支持棒が固定的に接続されており、前記支持棒の上端面には隠しボードが固定的に接続されており、前記昇降チャンバの中には昇降ボードがスライドできるように接続されており、前記昇降ボードの上端面の一側には昇降棒が固定的に接続されており、前記昇降棒の上端が前記昇降チャンバの上端壁と前記隠し空間の下端壁を貫通し且つ前記支持ボードと固定的に接続されており、前記昇降ボードの上端面のもう一側には支持柱が固定的に接続されており、前記支持柱の上端が前記昇降チャンバの上端壁を貫通し且つ前記従動ボードと固定的に接続されている。
【０００８】
優選的には、前記伝動機構は伝動ブロックを含み、前記伝動チャンバの中には伝動ブロックが設置されており、前記伝動ブロックの中には下に開口する伝動溝が設置されており、前記伝動溝の中には伝動ボードがスライドできるように接続されており、前記伝動溝の上端壁の中には上に開口する伝動穴が設置されており、前記伝動穴が前記伝動溝と前記伝動チャンバを連通し、前記伝動チャンバの一側端壁の中には収納溝が設置されており、前記収納溝が前記伝動チャンバに連通し、前記伝動溝の一側端壁の中には並進溝が設置されており、前記並進溝が前記伝動溝と前記伝動チャンバと連通し、前記並進溝の中には並進ブロックが設置されており、前記並進ブロックの一端が前記並進溝の端壁を貫通し且つ前記収納溝の中に位置し、前記並進溝の上端壁には下に開口する撥条溝が設置されており、前記撥条溝の中には撥条ボードが設置されており、前記撥条ボードの下端が前記並進溝の中に位置し且つ前記並進ブロックと固定的に接続されており、前記撥条溝の一側端壁には接続撥条が固定的に接続されており、前記撥条ボードの上端の一側端面と前記接続撥条とが固定的に接続されており、前記伝動ボードの上端面には伝動棒が固定的に接続されており、前記伝動棒の上端には接続棒が固定的に接続されており、前記接続棒の上端が前記伝動穴を貫通して前記伝動チャンバの中に位置し、前記接続棒の上端にはストップブロックが固定的に接続されており、前記伝動チャンバの上端壁には伝動撥条が固定的に接続されており、前記伝動撥条の下端と前記伝動ブロックとが固定的に接続されており、前記伝動穴の一側端壁の中には伸縮チャンバが設置されており、前記伸縮チャンバの一側端壁には細紐が固定的に接続されており、前記細紐の一端が前記伝動穴を貫通して前記撥条溝の中に位置し、前記撥条溝の中に位置する前記細紐の一端と前記撥条ボードとが固定的に接続されている。
【発明の効果】
【０００９】
以上により、本装置は結構が簡単で、操作が便利で、灯柱の中の空間を有効的に利用し、保存空間を増え、卓上に置かれる小物を便利に収納し、卓上の清潔を保証し、且つ隠し空間の存在は一定の重要な物件を保存するのが保証でき、且つ機械の伝動時間によってスタンドに対して時間を制御して消すのができ、それにより電力資源を無駄にせず、電気利用に影響しない。
【図面の簡単な説明】
【００１０】
【図１】図１は本発明の収納可能なＬＥＤスタンド全体断面の正面構成模式図
【図２】図２は本発明の収納可能なＬＥＤスタンドの伝動機構の部分断面の正面構成模式図
【図３】図３は本発明の収納可能なＬＥＤスタンドのスイッチ機構の部分断面の正面構成模式図
【発明を実施するための形態】
【００１１】
本説明書に公開されるいずれもの特徴、或いは公開されるいずれもの方法或いは過程中の順序は互いに排斥する特徴／或いは順序以外、いかなる方式によって組み合わせる。
【００１２】
図１〜３を参考して、本発明は実施例を提供し：収納可能なＬＥＤスタンドは、台座１を含み、前記台座１の上端面には灯柱５が設置されており、前記灯柱５の中の上端には灯枠２８が設置されており、前記灯枠２８の中にはスイッチ機構２７が設置されており、前記スイッチ機構２７は電気接続チャンバ２５を含み、前記灯枠２８の一端の中にはＬＥＤランプ３０が設置されており、前記電気接続チャンバ２５の一側端壁の中には移動チャンバ１４が設置されており、前記移動チャンバ１４の中には移動ブロック１７が設置されており、前記移動チャンバ１４の一側端壁の中には移動撥条１３が設置されており、前記移動ブロック１７の一側には移動ボード１９が設置されており、前記移動ボード１９の一側端面にはリング２０が設置されており、前記移動チャンバ１４の下端壁の中には持上げチャンバ３３が設置されており、前記持上げチャンバ３３の中には持上げボード１５が設置されており、前記持上げボード１５の上端面には上端が前記移動チャンバ１４の中に位置する台形ブロック１６が設置されており、前記持上げボード１５の下端面には持上げブロック３２が設置されており、前記持上げブロック３２の下端が外部空間に位置し、前記灯柱５の中には保存機構４０が設置されており、前記保存機構４０の中には伝動機構３７が設置されている。
【００１３】
有益なように、前記スイッチ機構２７は電気接続チャンバ２５を含み、前記電気接続チャンバ２５の両側端壁には電気接続柱２６が対称的に固定的に設置されており、前記電気接続柱２６の中には上端壁と一側端壁とが前記電気接続チャンバ２５に連通する電気接続溝７０が設置されており、前記電気接続チャンバ２５の上端には伸縮撥条２３が固定的に接続されており、前記伸縮撥条２３の下端には電気接続ブロック２４が固定的に接続されており、一側の前記電気接続柱２６には一端が前記ＬＥＤランプ３０と固定的に接続されるワイヤー２９が固定的に接続されており、前記電気接続ブロック２４の上端面にはロープ２１が固定的に接続されており、前記移動ブロック１７の一端と前記移動撥条１３とが固定的に接続されており、前記移動ブロック１７のもう一端には移動棒１８が固定的に接続されており、前記移動棒１８の中には移動溝６２が設置されており、前記移動溝６２の中にはスライドボード６３がスライドできるように接続されており、前記移動溝６２の一側端壁の中にはスライド撥条３１が固定的に接続されており、前記スライドボード６３の一端が前記スライド撥条３１と固定的に接続されており、前記スライドボード６３のもう一端がスライド棒６４と固定的に接続されており、前記スライド棒６４の一端が前記移動チャンバ１４の中に位置し、前記移動ボード１９の一端と、前記スライド棒６４のうち前記移動チャンバ１４の中に位置する一端とが固定的に接続されており、前記電気接続ブロック２４の下端面にはチェーン２２が固定的に接続されており、前記チェーン２２の下端が前記移動チャンバ１４の右端壁を貫通して前記リング２０を通り抜けて外部空間に位置し、前記持上げボード１５の下端面のもう一側には電磁棒１２が固定的に接続されている。
【００１４】
有益なように、前記保存機構４０は保存チャンバ７を含み、前記灯柱５の中には保存チャンバ７が設置されており、前記保存チャンバ７の下端壁の中には上に開口する隠し空間４４が設置されており、前記隠し空間４４が前記保存チャンバ７に連通し、前記隠し空間４４の下端壁の中には昇降チャンバ４が設置されており、前記保存チャンバ７の上端壁の中には従動チャンバ１１が設置されており、前記従動チャンバ１１の下端壁の中には電磁溝４７が設置されており、前記従動チャンバ１７の一側端壁の中には伝動チャンバ８が設置されており、前記伝動チャンバ８の下端壁が前記保存チャンバ７に連通し、前記電磁溝４７が前記伝動チャンバ８に連通し、前記伝動チャンバ８の中には伝動機構３７が設置されており、前記伝動チャンバ８の中には封じボード６が設置されており、前記封じボード６の下端が前記保存チャンバ７の中に位置し、前記伝動チャンバ８の一側端壁の中には撥条チャンバ３５が設置されており、前記撥条チャンバ３５の両側端壁の下部分が前記伝動チャンバ８と外部空間とを連通し、前記封じボード６の下端の一側端面には回しブロック４１が固定的に接続されており、前記回しブロック４１の一端が外部空間の中に位置し、前記電磁溝４７の中には電磁ボード９が設置されており、前記電磁ボード９の一端が前記伝動チャンバ８の中に位置し、前記撥条チャンバ３５の上端壁には圧縮撥条３６が固定的に接続されており、前記圧縮撥条３６の下端にはストッパ３８が固定的に接続されており、前記従動チャンバ１１の中には従動ボード１０が設置されており、前記従動ボード１０の一端が前記伝動チャンバ８の中に位置し且つ前記伝動ブロック５３と固定的に接続されており、前記電磁棒１２の下端が前記従動チャンバ１１と前記従動ボード１０を貫通し且つ前記電磁溝４７の中に位置し、前記電磁棒１２が前記従動ボード１０とがスライドできるように接続されており、前記隠し空間４４の中には支持ボード４５がスライドできるように接続されており、前記支持ボード４５の上端面には支持棒４３が固定的に接続されており、前記支持棒４３の上端面には隠しボード４２が固定的に接続されており、前記昇降チャンバ４の中には昇降ボード２がスライドできるように接続されており、前記昇降ボードの上端面の一側には昇降棒４６が固定的に接続されており、前記昇降棒４６の上端が前記昇降チャンバ４の上端壁と前記隠し空間４４の下端壁を貫通し且つ前記支持ボード４５と固定的に接続されており、前記昇降ボード２の上端面のもう一側には支持柱３が固定的に接続されており、前記支持柱３の上端が前記昇降チャンバ４の上端壁を貫通し且つ前記従動ボード１０と固定的に接続されている。
【００１５】
有益なように、前記伝動機構３７は伝動ブロック５３を含み、前記伝動チャンバ８の中には伝動ブロック５３が設置されており、前記伝動ブロック５３の中には下に開口する伝動溝５４が設置されており、前記伝動溝５４の中には伝動ボード５５がスライドできるように接続されており、前記伝動溝５４の上端壁の中には上に開口する伝動穴６５が設置されており、前記伝動穴６５が前記伝動溝５４と前記伝動チャンバ８を連通し、前記伝動チャンバ８の一側端壁の中には収納溝５０が設置されており、前記収納溝５０が前記伝動チャンバ８に連通し、前記伝動溝５４の一側端壁の中には並進溝５２が設置されており、前記並進溝５２が前記伝動溝５４と前記伝動チャンバ８と連通し、前記並進溝５２の中には並進ブロック５１が設置されており、前記並進ブロック５１の一端が前記並進溝５２の端壁を貫通し且つ前記収納溝５０の中に位置し、前記並進溝５２の上端壁には下に開口する撥条溝４８が設置されており、前記撥条溝４８の中には撥条ボード４９が設置されており、前記撥条ボード４９の下端が前記並進溝５２の中に位置し且つ前記並進ブロック５１と固定的に接続されており、前記撥条溝４８の一側端壁には接続撥条５７が固定的に接続されており、前記撥条ボード４９の上端の一側端面と前記接続撥条５７とが固定的に接続されており、前記伝動ボード５５の上端面には伝動棒５６が固定的に接続されており、前記伝動棒５６の上端には接続棒６１が固定的に接続されており、前記接続棒６１の上端が前記伝動穴６５を貫通して前記伝動チャンバ８の中に位置し、前記接続棒６１の上端にはストップブロック６０が固定的に接続されており、前記伝動チャンバ８の上端壁には伝動撥条３４が固定的に接続されており、前記伝動撥条３４の下端と前記伝動ブロック５３とが固定的に接続されており、前記伝動穴６５の一側端壁の中には伸縮チャンバ５９が設置されており、前記伸縮チャンバ５９の一側端壁には細紐５８が固定的に接続されており、前記細紐５８の一端が前記伝動穴６５を貫通して前記撥条溝４８の中に位置し、前記撥条溝４８の中に位置する前記細紐５８の一端と前記撥条ボード４９とが固定的に接続されている。
【００１６】
以下、附図１−３及び上記に記載の本願発明の収納可能なＬＥＤスタンドの具体的な構造を参考して収納可能なＬＥＤスタンドの使い方を詳しく紹介する：まず初期状態の時、前記電磁棒１２と前記電磁ボード９は作業状態であり、両者が反発し合う状態であり、前記電磁ボード９と前記伝動ブロック５３とは吸引しあう状態である。
【００１７】
前記保存チャンバ７を使う時、前記回しブロック４１を上へ上げ、これにより前記封じボード６を上へ運動連動させ、これにより前記封じボード６の上端と前記伝動ボード５５とを接触させ、前記伝動ボード５５を上へ運動連動させ、前記伝動棒５６と、前記接続棒６１と前記ストップブロック６０を上へ運動連動させ、前記伝動空間６５の中に位置する前記細紐５８を上へ運動連動させ、前記撥条ボード４９を一側へ運動連動させ、前記接続撥条５７が圧縮され、前記並進ブロック５１の一端を前記収納溝５０から離れ連動させ、この過程中、前記保存チャンバ７が外部空間に連通し、前記伝動ボード５５が前記伝動溝５４の最上側に位置する時、前記保存チャンバ７が外部空間に完全的に連通し、前記隠し空間４４を開ける時、継続して上へ前記回しブロック４１を上げ、前記伝動ブロック５３を上へ運動連動させ、前記従動ボード１０を上へ運動連動させ、前記伝動撥条３４が圧縮され、前記従動ボード１０が上昇して前記支持柱３を上へ運動連動させ、前記持上げボード２を上へ運動連動させ、前記昇降棒４６を上へ運動連動させ、前記支持ボード４５と支持棒４３を上へ運動連動させ、前記隠しボード４２を上へ運動連動させ、前記伝動ブロック５３が前記伝動チャンバ８の最上側に位置する時、前記支持ボード４５が前記保存チャンバ７の中に位置する。
【００１８】
ＬＥＤランプをオンする時、前記チェーン２２を引っ張って下へ運動させ、前記リング２０を右へ運動連動させ、前記電気接続ブロック２４を下へ運動連動させ、前記電気接続ブロック２４を前記電気接続溝７０の中に入らせ、前記電気接続ブロック２４が前記電気接続柱２６と接触して通電し、ＬＥＤランプをオンし、前記電気接続ブロック２４が下へ運動し、前記ロープ２１の伝動によって前記移動ブロック１７を左へ運動連動させ、前記伸縮撥条２３と前記移動撥条１３が圧縮され、前記スライド撥条１３が上げられ、前記移動ブロック１７が前記台形ブロック１６の左側に運動し、前記チェーン２２を放すとき、前記スライド撥条１３が復帰し、前記リング２０を左へ運動連動させ、外部空間に位置する前記チェーン２２の一端を上昇連動させて隠れ、光に影響しなく、定時にＬＥＤスタンドを消そうとする時、下へ前記昇降ブロック３２を引っ張り、それにより前記電磁棒１２が磁性を失い、前記昇降ボード１５を下へ運動連動させ、前記台形ブロック１６を前記移動チャンバ１４から離れ連動させ、これにより前記移動ブロック１７が自身の摩擦力と、前記移動ボード１９と前記移動チャンバ１４の間の抵抗力と、前記スライド撥条１３の弾力と、前記移動撥条１３の弾力と前記伸縮撥条２３の弾力によって緩めにおもむろに右へ運動し、これにより前記スライド撥条３１を先に圧縮した後、前記移動ブロック１７によって前記移動ボード１９を右へ運動連動させ、前記リング２０を右へ運動連動させ、前記電気接続ブロック２４を少しずつ前記電気接続溝７０から離れさせ、前記電気接続ブロック２４が前記電気接続溝７０から完全に離れた後、前記ＬＥＤランプが消され、それにより定時にライトを消し、もし前記封じボード６が前記電磁ボード９を前記電磁溝４７の最上側に位置させれば、前記昇降ボード１５が前記昇降ブロック３２によって下降できなく、それにより、ランプを消す時、前記保存チャンバ７が開ける状態であることを保証する。
【００１９】
本発明の有益な効果は：本装置は結構が簡単で、操作が便利で、灯柱の中の空間を有効的に利用し、保存空間を増え、卓上に置かれる小物を便利に収納し、卓上の清潔を保証し、且つ隠し空間の存在は一定の重要な物件を保存するのが保証でき、且つ機械の伝動時間によってスタンドに対して時間を制御して消すのができ、それにより電力資源を無駄にせず、電気利用に影響しない。
【００２０】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。